(57)【要約】【課題】目隠し及び遮音を確実に行える仮囲い構造及び仮囲い設備あるいは巾木ユニットを提供する。【解決手段】工事現場の周辺を覆う複数の仮囲いパネル３を立設し、仮囲いパネル３の下端側の隙間及び上端側の隙間のうちの少なくとも一方を覆うための複数の巾木パネル４を設けている仮囲い構造であって、巾木パネル４は、仮囲いパネル３の表側に設けられ、かつ、隣り合う同士がラップするように設けられている。【選択図】  図６
2019148111.tif 000002
【特許請求の範囲】
【請求項１】
工事現場の周辺を覆う複数の仮囲いパネルを立設し、該仮囲いパネルの下端側の隙間及び上端側の隙間のうちの少なくとも一方を覆うための複数の巾木パネルを設けている仮囲い構造であって、
前記巾木パネルは、前記仮囲いパネルの表側に設けられ、かつ、隣り合う同士がラップするように設けられていることを特徴とする仮囲い構造。
【請求項２】
前記巾木パネルを前記仮囲いパネルの表側に位置させた状態で該仮囲いパネルの裏側に位置させて該巾木パネルとで該仮囲いパネルを表裏両側から挟むための押え部材を備え、該押え部材及び前記巾木パネルの両者を引き寄せて前記仮囲いパネルに固定するための固定部材を備え、前記固定部材による仮固定時に前記固定部材が係止して前記巾木パネルを前記仮囲いパネルに対して上下方向に移動案内するレールを該巾木パネルの裏側に備えていることを特徴とする請求項１に記載の仮囲い構造。
【請求項３】
前記巾木パネルに複数のレールを備え、該レールと同数の前記押え部材及び前記固定部材を備えていることを特徴とする請求項２に記載の仮囲い構造。
【請求項４】
前記固定部材は、ボルトとナットとを含み、前記レールは、前記ナットが係止するよう構成され、前記ナットが前記レールに係止した状態において、該レールと該ナットとの相対移動が可能でかつ該レールに対して該ナットの回転が不能に構成され、前記レールの上下端が、開放されていることを特徴とする請求項２又は３に記載の仮囲い構造。
【請求項５】
工事現場の周辺を覆う複数の仮囲いパネルと、該仮囲いパネルの下端側の隙間及び上端側の隙間のうちの少なくとも一方を覆う該仮囲いパネルよりも幅広の複数の巾木パネルと、前記仮囲いパネルの表側に前記巾木パネルを固定するための固定部材とを備え、該固定部材は、隣り合う巾木パネル同士がラップするように前記仮囲いパネルの表側に該巾木パネルを固定する部材である仮囲い設備。
【請求項６】
工事現場の周辺を覆う仮囲いパネルの下端側の隙間及び上端側の隙間のうちの少なくとも一方を覆うための該仮囲いパネルよりも幅広の巾木パネルと、該巾木パネルを前記仮囲いパネルの表側に固定する固定部材とを備えた巾木ユニットであって、
前記固定部材は、隣り合う巾木パネル同士がラップするように前記仮囲いパネルの表側に該巾木パネルを固定する部材である巾木ユニット。
【発明の詳細な説明】
【技術分野】
【０００１】
本発明は、工事現場の周辺を覆う複数の仮囲いパネルを立設してなる仮囲い構造及び仮囲い設備あるいは巾木ユニットに関する。
【背景技術】
【０００２】
上記仮囲い構造では、工事現場の周辺を覆う複数の仮囲いパネルを立設し、該仮囲いパネルの下端側の隙間を覆うための複数の巾木パネルが設けられている。この巾木パネルは、各仮囲いパネルの幅よりも小さな幅を有し、各仮囲いパネルの裏側に配設される。具体的には、横方向に間隔を置いて縦パイプが立設され、それら縦パイプの上側位置及び下側位置に横方向に延びるレール部材が取り付けられ、これらレール部材の内部に滑車が配置されている。上側の滑車から前方に延びるねじ軸が仮囲いパネルの上側に形成された貫通孔に挿通され、挿通されたねじ軸の先端にナットを螺合することにより仮囲いパネルの上側がレール部材に固定される。また、滑車から前方に延びるねじ軸が巾木パネルに形成の縦方向に長い長孔及び仮囲いパネルの下側に形成された貫通孔に挿通され、挿通されたねじ軸の先端にナットを螺合することにより巾木パネルの上側及び仮囲いパネルの下側がレール部材に固定される（例えば特許文献１）。
【先行技術文献】
【特許文献】
【０００３】
【特許文献１】特開平１０−８７８１号公報
【発明の概要】
【発明が解決しようとする課題】
【０００４】
上記特許文献１によれば、巾木パネルの幅が仮囲いパネルの幅よりも小さな寸法になっているため、隣り合う巾木パネルの端部同士に隙間が発生する。そのため、目隠しが不十分であるだけでなく、工事現場で発生する工事騒音が隙間から外部に漏れてしまい、遮音も不十分であり、改善の余地があった。
【０００５】
そこで、本発明は、かかる事情に鑑みてなされたもので、目隠し及び遮音を確実に行える仮囲い構造及び仮囲い設備あるいは巾木ユニットを提供することを課題とする。
【課題を解決するための手段】
【０００６】
本発明に係る仮囲い構造は、工事現場の周辺を覆う複数の仮囲いパネルを立設し、該仮囲いパネルの下端側の隙間及び上端側の隙間のうちの少なくとも一方を覆うための複数の巾木パネルを設けている仮囲い構造であって、前記巾木パネルは、前記仮囲いパネルの表側に設けられ、かつ、隣り合う同士がラップするように設けられていることを特徴としている。
【０００７】
本発明によれば、隣り合う巾木パネルをラップさせることによって、隣り合う巾木パネル間に隙間が発生することがなく遮蔽できる。
【０００８】
また、本発明に係る仮囲い構造は、前記巾木パネルを前記仮囲いパネルの表側に位置させた状態で該仮囲いパネルの裏側に位置させて該巾木パネルとで該仮囲いパネルを表裏両側から挟むための押え部材を備え、該押え部材及び前記巾木パネルの両者を引き寄せて前記仮囲いパネルに固定するための固定部材を備え、前記固定部材による仮固定時に前記固定部材が係止して前記巾木パネルを前記仮囲いパネルに対して上下方向に移動案内するレールを該巾木パネルの裏側に備えていてもよい。
【０００９】
上記のように、仮囲いパネルの表側に巾木パネルを配置するとともに、仮囲いパネルの裏側に押え部材を配置する。その状態で固定部材により押え部材及び巾木パネルの両者を引き寄せるだけで、押え部材及び巾木パネルを仮囲いパネルに固定できるので、施工が容易となる。しかも、押え部材及び巾木パネルで仮囲いパネルを挟んで固定できる位置であれば、仮囲いパネルのどの位置にも押え部材及び巾木パネルを固定することができ、更に施工が容易となる。また、巾木パネルの上下方向へのスライドを案内するレールを備えるため、仮固定の状態で巾木パネルの上下位置を容易に調整することができる。
【００１０】
また、本発明に係る仮囲い構造は、前記巾木パネルに複数のレールを備え、該レールと同数の前記押え部材及び前記固定部材を備えていてもよい。
【００１１】
上記のように、複数のレールに対して同数の押え部材を備えているので、例えば巾木パネルをレールが上下方向に平行になるように配置した場合だけでなく、レールが上下に対して斜めに傾斜するように配置した場合にも、各レールの位置に合わせて押え部材と固定部材を配置することができ、仮囲いパネルに対して巾木パネルを斜めに取り付けることができる。
【００１２】
また、本発明に係る仮囲い構造は、前記固定部材は、ボルトとナットとを含み、前記レールは、前記ナットが係止するよう構成され、前記ナットが前記レールに係止した状態において、該レールと該ナットとの相対移動が可能でかつ該レールに対して該ナットの回転が不能に構成され、前記レールの上下端が、開放されていてもよい。
【００１３】
上記のように、ナットが前記レールに係止した状態でナットの回転が不能になるので、レールに係止したナットにボルトをねじ込むだけで締め付け操作が行える。また、締め付けたボルトを緩めて、巾木パネルを上方又は下方に移動させることによって、ナットがレールの上下端から外れて、巾木パネルを押え部材から取り外すことができる。
【００１４】
また、本発明に係る仮囲い設備は、工事現場の周辺を覆う複数の仮囲いパネルと、該仮囲いパネルの下端側の隙間及び上端側の隙間のうちの少なくとも一方を覆う該仮囲いパネルよりも幅広の複数の巾木パネルと、前記仮囲いパネルの表側に前記巾木パネルを固定するための固定部材とを備え、該固定部材は、隣り合う巾木パネル同士がラップするように前記仮囲いパネルの表側に該巾木パネルを固定する部材であってもよい。
【００１５】
上記のように、隣り合う巾木パネル同士がラップするように仮囲いパネルの表側に巾木パネルを固定部材により固定することによって、隣り合う巾木パネル間に隙間が発生することがなく遮蔽できる。
【００１６】
また、本発明に係る巾木ユニットは、工事現場の周辺を覆う仮囲いパネルの下端側の隙間及び上端側の隙間のうちの少なくとも一方を覆うための該仮囲いパネルよりも幅広の巾木パネルと、該巾木パネルを前記仮囲いパネルの表側に固定する固定部材とを備えた巾木ユニットであって、前記固定部材は、隣り合う巾木パネル同士がラップするように前記仮囲いパネルの表側に該巾木パネルを固定する部材であってもよい。
【００１７】
上記のように、隣り合う巾木パネル同士がラップするように仮囲いパネルの表側に巾木パネルを固定部材により固定することによって、隣り合う巾木パネル間に隙間が発生することがなく遮蔽できる。
【発明の効果】
【００１８】
以上の如く、本発明によれば、隣り合う巾木パネルをラップさせることによって、隣り合う巾木パネル間に隙間が発生することがなく遮蔽できるので、目隠し及び遮音を確実に行える仮囲い構造及び仮囲い設備あるいは巾木ユニットを提供することができる。
【図面の簡単な説明】
【００１９】
【図１】仮囲いパネルに対して巾木パネルを取り付ける直前の状態を示す側面図である。
【図２Ａ】仮囲いパネルに対して巾木パネルを仮固定した状態を示す背面図である。
【図２Ｂ】図２ＡにおけるＩＩ−ＩＩ線断面図である。
【図３Ａ】仮固定した巾木パネルを下方に移動させて隙間を遮蔽した状態を示す背面図である。
【図３Ｂ】図３ＡにおけるＩＩＩ−ＩＩＩ線断面図である。
【図４】図２ＡにおけるＩＶ−ＩＶ線断面図である。
【図５】仮囲いパネルに対して巾木パネルを取り付ける直前の状態を示す斜視図である。
【図６】凹凸のある地面と仮囲いパネルの下端面との間を複数の巾木パネルで遮蔽した状態を示す正面図である。
【図７】図６の側面図である。
【図８】スロープの表面と仮囲いパネルの下端面との間を複数の巾木パネルで遮蔽した状態を示す正面図である。
【図９】図８の巾木パネルとは異なる形状の巾木パネルでスロープの表面と仮囲いパネルの下端面との間を遮蔽した状態を示す正面図である。
【図１０】（ａ）は階段部分に仮囲いパネルを設置した状態を示す正面図、（ｂ）階段部分と仮囲いパネルとの間に発生する隙間を複数の巾木パネルで遮蔽した状態を示す正面図である。
【図１１Ａ】別の形態のレールを取り付けた巾木パネルの斜視図である。
【図１１Ｂ】図１１Ａの巾木パネルの背面図である。
【図１２】コーナー部に発生する隙間を遮蔽する別の形態の巾木パネルを仮囲いパネルに取り付けた状態を示し、（ａ）は平面図、（ｂ）は側面図である。
【図１３】（ａ），（ｂ），（ｃ）はコーナー部に配置する別の形態の巾木パネルと仮囲いパネルとを示す平面図である。
【図１４】（ａ）は巾木パネルを押え部材に取り付ける別の形態を示す側面図、（ｂ）は巾木パネルを押え部材から取り外す別の形態を示す側面図である。
【発明を実施するための形態】
【００２０】
図１〜図５に、本発明である仮囲い構造を示している。多数の縦パイプ（図示せず）を立設し、それら縦パイプに横方向（左右方向）に延びる複数の横パイプ１を上下方向に間隔を置いて取り付け、それら横パイプ１に仮囲い構造２を取り付けている。図７では、上下２箇所に取り付けた横パイプ１，１に仮囲い構造２を取り付けている。なお、仮囲い構造２を取り付けるための構成は、図７に示す構成に限らない。
【００２１】
仮囲い構造２は、工事現場の周辺を覆う複数の仮囲いパネル３を前記横パイプ１に取り付けることで立設し、仮囲いパネル３の下端側の隙間を覆うための複数の巾木パネル４を仮囲いパネル３に取り付けている。
【００２２】
各仮囲いパネル３は、鋼板（鋼板と略同等の強度を有するものであれば、どのような材料で構成してもよい）から構成され、フラットで縦長の板状に構成された本体部３Ａと、本体部３Ａの左右両端部が内側に９０度折り曲げられて形成された左右一対の側部３Ｂ，３Ｂ（図１では一方（手前）のみ図示している）とを備えているが、仮囲いパネル３の具体的構成は、図に示されるものに限定されない。また、図６、図８、図９では、上下方向の上下寸法及び左右方向の左右幅寸法が同一の多数の仮囲いパネル３を用いているが、上下寸法及び左右幅寸法が異なる複数種類の仮囲いパネルを用いてもよい。
【００２３】
各巾木パネル４は、図６に示すように、仮囲いパネル３の左右幅Ｌ１よりも大きな左右幅Ｌ２を有し、かつ、隙間の上下方向の上下寸法Ｈ１よりも長い上下寸法Ｈ２を有するように構成されている。また、各巾木パネル４は、仮囲いパネル３の表側に設けられ、かつ、隣り合う同士がラップするように設けられている。このように隣り合う巾木パネル４，４をラップさせることによって、隣り合う巾木パネル４，４間に隙間が発生することがなく遮蔽できる。図６では、巾木パネル４は、１枚の仮囲いパネル３の左右幅Ｌ１よりも大きな左右幅を有している第１巾木パネル４Ａと、２枚の仮囲いパネル３，３の左右幅Ｌ３よりも大きな左右幅Ｌ４を有している第２巾木パネル４Ｂとを有しているが、更に、巾木パネル４を、３枚以上の多数枚の仮囲いパネル４の左右幅よりも大きな左右幅を有しているものであってもよい。
【００２４】
また、仮囲い構造２は、図１及び図５に示すように、巾木パネル４を仮囲いパネル３の表側に位置させた状態で仮囲いパネル３の裏側に位置させて巾木パネル４とで仮囲いパネル３を表裏両側から挟むための押え部材５と、押え部材５及び巾木パネル４の両者を引き寄せて仮囲いパネル３に固定するための固定部材６を備えている。固定部材６は、締め付け部材であるボルト７と、被締め付け部材であるナット８とを備えている。なお、ボルト７には、ワッシャＷを備えている。なお、押え部材５にボルト７及びワッシャＷを予め備えておけば、ボルト７の先端をワッシャＷ及び押え部材５に挿通させる手間を省くことができる。ワッシャＷは、場合によっては省略することもできる。
【００２５】
押え部材５は、巾木パネル４に比べて遥かに小さな寸法に構成され、各種の金属製で板状でなり、かつ、横長の長方形状に形成されている。また、押え部材５は、下側の左右中央位置にボルト７が挿通可能な貫通孔５ａが形成された縦向きの本体部５Ａと、下端部が折り曲げられて表側に突出して後述するレール１０の裏面に当接する本体部５Ａと平行な縦向きの当接部５Ｂを備えている。
【００２６】
巾木パネル４は、フラットな鋼板（鋼板と略同等の強度を有するものであれば、どのような材料でもよい）でなる巾木パネル板９と、巾木パネル板９の裏面に縦向きに固定される金属製の左右一対のレール１０，１０（図６参照）とを備えている。
【００２７】
巾木パネル板９は、左右方向に長い略長方形の本体部９Ａと、本体部９Ａの上端部に上端側ほど後側に位置するように斜め後ろ方向に所定角度折り曲げ形成された傾斜上端部９Ｂと、下端部がヘミング折りによって折り返されて裏面に重ねられた折り返し部９Ｃとを備えている。傾斜上端部９Ｂを形成することにより、巾木パネル板９を仮囲いパネル３の表側に取り付けた際に、仮囲いパネル３の表面と巾木パネル板９の上端との間に前後方向で隙間が発生することがないようにしている。
【００２８】
レール１０は、ボルト７及びナット８による仮固定時にナット８が係止して巾木パネル４を仮囲いパネル３に対して上下方向に移動案内するために巾木パネル４の巾木パネル板９の裏側に取り付けられている。具体的には、レール１０は、図５に示すように、巾木パネル板９の裏面に当接した状態で固定される縦長で長方形状の前板部１０Ａと、前板部１０Ａの左右方向両端部から仮囲いパネル３側に延びる左右の側板部１０Ｂ，１０Ｃと、側板部１０Ｂ，１０Ｃそれぞれの仮囲いパネル３側端に連結される左右の後板部１０Ｄ，１０Ｅとを備えている。したがって、レール１０の上下端が開放されていると共に、左右の後板部１０Ｄ，１０Ｅの対向端面の間に、ボルト７が挿通可能な大きさの隙間１０Ｓが上下方向全域に亘って形成されている。そして、レール１０を構成する前板部１０Ａの内面と側板部１０Ｂ，１０Ｃの内面と後板部１０Ｄ，１０Ｅの内面とで形成される空間１０Ｈに、螺合孔が前後方向（巾木パネル４の板厚方向）を向いた状態のナット８を下方から挿入する。ナット８を挿入すると、図４に示すように、ナット８の４面のうちの径方向で対向する２面がレール１０の側板部１０Ｂ，１０Ｃの内面に係止可能な状態になり、レール１０とナット８との相対移動が可能でかつレール１０に対してナット８の回転が不能に構成される。ここでは、ナット８として、四角ナットを用いているが、六角ナットであってもよい。図４では、レール１０の側板部１０Ｂ，１０Ｃの内面とこれに対向するナット８の２面との間にわずかな隙間が発生しているが、なくてもよい。
【００２９】
仮囲いパネル３に巾木パネル４を取り付ける手順について説明すれば、仮囲いパネル３の表側に、巾木パネル４をそれの裏面側が仮囲いパネル３側に向いた状態でかつそれの下端部が仮囲いパネル３の下端に近い位置になるように配置すると共に、仮囲いパネル３の裏側に、押え部材５をそれの下端部の当接部５Ｂが本体部５Ａよりも前側に位置するように配置する（図１参照）。この状態から、ボルト７をワッシャＷに通した後、押え部材５の貫通孔５ａに挿通するとともに、ナット８をレール１０内にそれの下端から挿入する。次に、仮囲いパネル３の表裏両面に巾木パネル４と押え部材５とを当接した状態で押え部材５の貫通孔５ａに通したボルト７の先端をレール１０の側板部１０Ｂ，１０Ｃ間の隙間１０Ｓ（図３Ａ、図５参照）を通してレール１０の空間１０Ｈ内に配置されたナット８に螺合させて仮囲いパネル３に巾木パネル４と押え部材５とを仮固定する（図２Ａ、図２Ｂ参照）。このとき、ナット８がレール１０に係止（当接）した状態になってナット８の回転が不能になるので、レール１０に係止したナット８にボルト７をねじ込むだけで締め付け操作が行える。この仮固定の状態において、巾木パネル４をナット８に係止しているレール１０によるガイド作用を利用しながら下方にスムーズに移動させて仮囲いパネル３の下端と地面との間の隙間を巾木パネル４で遮蔽することができる（図３Ａ、図３Ｂ参照）。遮蔽後は、ボルト７をナット８に締め付けて仮囲いパネル３に巾木パネル４と押え部材５とを強固に固定して１枚の巾木パネル４の取り付け作業を終了する。この取り付け作業を、遮蔽したい隙間の数に応じて繰り返し行うことになる。
【００３０】
前記のように、仮囲いパネル３の表側に巾木パネル４を配置するとともに、仮囲いパネル３の裏側に押え部材５を配置する。その状態で固定部材であるボルト７とナット８とにより押え部材５及び巾木パネル４の両者を引き寄せるだけで、押え部材５及び巾木パネル４を仮囲いパネル３に固定できるので、施工が容易となる。しかも、押え部材５及び巾木パネル４で仮囲いパネル３を挟んで固定できる位置であれば、仮囲いパネル３のどの位置にも押え部材５及び巾木パネル４を固定することができ、更に施工が容易となる。また、巾木パネル４の上下方向へのスライドを案内するレール１０を備えるため、仮固定の状態で巾木パネル４の上下位置を容易に調整することができる。
【００３１】
図６及び図７では、凹凸のある地面１１と仮囲いパネル３の下端面３Ｃとの間を、同一形状で同一の大きさに構成された５枚の第１巾木パネル４Ａと、該第１巾木パネル４Ａと上下寸法は同一であるが、左右幅寸法が略２倍の大きさに構成された１枚の第２巾木パネル４Ｂで覆っている状態を示している。なお、図６の左から３番目以外の４枚の第１巾木パネル４Ａは、左右一対のレール１０，１０が上下方向に平行になるように配置した場合であるが、図６の左から３番目の第１巾木パネル４Ａは、左右一対のレール１０，１０が上下に対して斜めに傾斜するように右側に傾いた傾斜姿勢で取り付けている。このように傾斜姿勢で取り付けることによって、地面１１と仮囲いパネル３の下端面３Ｃとの間の隙間を小さくすることができる。このようにレール１０，１０が上下に対して斜めに傾斜するように第１巾木パネル４Ａを傾斜姿勢で仮囲いパネル３に取り付けられるのは、複数（２個の）のレール１０，１０に対して同数（２個）の押え部材５，５を備えているので、レール１０，１０の位置に合わせて押え部材５と固定部材であるボルト７及びナット８を配置することができる。したがって、仮囲いパネル３に対して巾木パネル４を斜めに取り付けることができる。
【００３２】
図８では、左側ほど下方に位置するスロープの表面１２に沿って仮囲いパネル３を設置した場合であり、２種類の左右幅の異なる前記第１巾木パネル４Ａ及び前記第２巾木パネル４Ｂを斜めに取り付けている。また、左から２番目、４番目、７番目の第１巾木パネル４Ａは、右端部においてスロープの表面１２と仮囲いパネル３の下端面との間の隙間が小さいため、押え部材５を取り付けることが難しいため、左端部のみ押え部材５を取り付けている。
【００３３】
図９では、図８と同様に、左側ほど下方に位置するスロープの表面１２に沿って仮囲いパネル３を設置した場合であり、２種類の第３巾木パネル４Ｃと、第４巾木パネル４Ｄを取り付けている。右側に位置する３枚の第３巾木パネル４Ｃの形状が、左端ほど下端面が下方に位置する略直角三角形状に構成され、各第３巾木パネル４Ｃの裏面の左右幅方向２箇所にレール１０が取り付けられている。左端に位置する第４巾木パネル４Ｄは、縦長で長方形状に構成され、裏面の左右中央部に１個のレール１０を備えている。なお、これら４枚の巾木パネル４Ｃ，４Ｄは、前述同様に取り付けられる。
【００３４】
図１０（ａ）は、階段部分１３に仮囲いパネル３が設置され、図１０（ｂ）に、仮囲いパネル３の下端面と階段部分１３との間に発生する隙間を４枚の巾木パネル４で遮蔽した状態を示している。左から１番目、３番目、４番目が、略正方形状の第５巾木パネル４Ｅであり、各第５巾木パネル４Ｅの裏面に１個の縦向きのレール１０を備えている。左から２番目が、左右幅が第５巾木パネル４Ｅの左右幅の略２倍の寸法を有する横長状の長方形状に構成された第６巾木パネル４Ｆであり、２個のレール１０，１０を備えている。この第６巾木パネル４Ｆの横幅が、仮囲いパネル３の横幅よりも大きい。なお、左から３番目の第５巾木パネル４Ｅが左から２番目の第５巾木パネル４Ｅに取り付けられている。なお、図６、図８、図９、図１０（ｂ）の７Ａは、ボルト７の軸部を示している。
【００３５】
また、本発明では、仮囲い設備１５を備えている。この仮囲い設備１５は、図１に示すように、工事現場の周辺を覆う複数の仮囲いパネル３と、仮囲いパネル３の下端側の隙間を覆う仮囲いパネル３よりも幅広の複数の巾木パネル４（図６も参照）と、仮囲いパネル３の表側に巾木パネル４を固定するための固定部材６とを備え、固定部材６は、隣り合う巾木パネル４，４同士がラップするように仮囲いパネル３の表側に巾木パネル４を固定する部材である。固定部材６は、具体的には、ボルト７とナット８とを有している。
【００３６】
また、本発明では、巾木ユニット１６を備えている。この巾木ユニット１６は、図１に示すように、工事現場の周辺を覆う仮囲いパネル３の下端側の隙間を覆うための仮囲いパネル３よりも幅広の巾木パネル４（図６も参照）と、巾木パネル４を仮囲いパネル３の表側に固定する固定部材６とを備え、固定部材６は、隣り合う巾木パネル４，４同士がラップするように仮囲いパネル３の表側に巾木パネル４を固定する部材である。固定部材６は、具体的には、ボルト７とナット８とを有している。
【００３７】
尚、本発明に係る仮囲い構造は、実施形態に限定されるものではなく、本発明の要旨を逸脱しない範囲で種々の変更が可能である。
【００３８】
前記実施形態では、レール１０を１個のものから構成したが、図１１Ａ及び図１１Ｂに示すように構成してもよい。つまり、巾木パネル４の裏面に取り付けられる略Ｌ字状の一対のレール部材１７，１８からレール１０を構成している。
【００３９】
また、前記実施形態では、フラットな仮囲いパネル３を示したが、図１２（ａ），（ｂ）に示すように、工事現場の角部（コーナー部）に略９０度外向きに折り曲がった仮囲いパネル３を設置し、その仮囲いパネル３の下端側の隙間を遮蔽する巾木パネル４を仮囲いパネル３に取り付けてもよい。巾木パネル４は、仮囲いパネル３と同じように略９０度外向きに折り曲がった形状に構成され、裏面の２箇所に縦向きのレール１０を備えている。前述同様に、仮囲いパネル３の裏面側に配置される押え部材５と仮囲いパネル３の前側に配置される巾木パネル４とで挟み込んで前述同様にボルト７及びナット８により締め付け固定される。また、図１３（ａ）では、略９０度内側に折り曲がった形状の仮囲いパネル３と仮囲いパネル３の外側に取り付けられる巾木パネル４とを示している。これら仮囲いパネル３と巾木パネル４とが、図１２（ａ）で示したものと内側と外側とが逆になっている場合を示している。また、図１３（ｂ）では、外向きに６０度折れ曲がった形状の仮囲いパネル３と仮囲いパネル３の外側に取り付けられる巾木パネル４とを示している。また、図１３（ｃ）では、内向きに６０度折れ曲がった形状の仮囲いパネル３と仮囲いパネル３の外側に取り付けられる巾木パネル４とを示しており、図１３（ｂ）とは内側と外側が逆になっている場合を示している。要するに、工事現場の角部（コーナー部）がどのような角度に形成されていても、本発明の仮囲い構造２、仮囲い設備１５、巾木ユニット１６を設けることができる。
【００４０】
また、前記実施形態では、巾木パネル４のレール１０内に位置させたナット８に押え部材５の貫通孔５ａを挿通させたボルト７の先端を螺合させるようにしたが、図１４（ａ）に示すように、ボルト７をワッシャＷ及び押え部材５に挿通し、その挿通したボルト７の先端にナット８を螺合させておく。この状態において、巾木パネル４のレール１０内にナット８を挿入するように巾木パネル４を矢印方向（下方）へ移動させる。この下方への移動時に、レール１０の隙間１０Ｓにボルト７の軸部７Ａが入り込むことでナット８をレール１０内に位置させることができる。このようにすることで巾木パネル４と押え部材５とを迅速にセット（一体化）することができる。こののち、ボルト７をナット８に締め付けることで、両者を締め付け固定して隙間を遮蔽することができる。また、締め付けたボルトを緩めて、図１４（ｂ）に示すように、巾木パネル４を上方（図では地面との間に十分な隙間がないため、上方であるが、地面との間に十分な隙間があれば下方でもよい）に移動させることによって、ナット８がレールの下端（下方への移動時には上端）から外れて、巾木パネル４を押え部材５から容易迅速に取り外すことができる。
【００４１】
また、前記実施形態では、仮囲いパネル３の下端側の隙間を巾木パネル４で覆うようにしたが、屋内（例えば地下内）に仮囲いパネル３を設置する場合に、仮囲いパネル３の上端側の隙間（仮囲いパネル３の上端と天井との間に発生する隙間）を前記と同一構成の巾木パネル４で覆うようにしてもよい。
【００４２】
また、前記実施形態では、レール１０を上下端が開放された構成にしたが、少なくとも一端が閉じられたレールであってもよい。なお、両端が閉じられたレールを用いる場合には、図１１Ａ及び図１１Ｂで示したレール１０を用い、レール１０を構成する一対のレール部材１７，１８を巾木パネル４の裏面に固定する際にレール１０の前方の開放された前面開放部を通してナット８をレール１０内に入れることになる。このようにレール１０の一端（実際には下端）又は両端を閉じる構成とすることによって、図１で示したようにナット８をレール１０内に入れ、入れたナット８を保持しておく必要がなく、ボルト７のナット８への螺合作業を容易に行うことができる。
【００４３】
また、前記実施形態では、押え部材５を板状のものから構成したが、ブロック状のものから構成してもよい。また、仮囲いパネル３の外面に対して巾木パネル４の外面が略平行になるように巾木パネル４を取り付けたが、仮囲いパネル３の外面に対して巾木パネル４の外面が交差するように巾木パネル４を傾けた状態で取り付けてもよい。
【符号の説明】
【００４４】
１…横パイプ、２…仮囲い構造、３…仮囲いパネル、３Ａ…本体部、３Ｂ…側部、３Ｃ…下端面、４…巾木パネル、４Ａ…第１巾木パネル、４Ｂ…第２巾木パネル、４Ｃ…第３巾木パネル、４Ｄ…第４巾木パネル、４Ｅ…第５巾木パネル、４Ｆ…第６巾木パネル、５…押え部材、５Ａ…本体部、５Ｂ…当接部、５ａ…貫通孔、６…固定部材、７…ボルト、７Ａ…軸部、８…ナット、９…巾木パネル板、９Ａ…本体部、９Ｂ…傾斜上端部、９Ｃ…折り返し部、１０…レール、１０Ａ…前板部、１０Ｂ，１０Ｃ…側板部、１０Ｄ，１０Ｅ…後板部、１０Ｈ…空間、１０Ｓ…隙間、１１…地面、１２…表面、１３…階段部分、１５…仮囲い設備、１６…巾木ユニット、１７，１８…レール部材、Ｈ１，Ｈ２…上下寸法、Ｌ１，Ｌ２，Ｌ３，Ｌ４…左右幅、Ｗ…ワッシャ
【図１】
2019148111.tif 000003
【図２Ａ】
2019148111.tif 000004
【図２Ｂ】
2019148111.tif 000005
【図３Ａ】
2019148111.tif 000006
【図３Ｂ】
2019148111.tif 000007
【図４】
2019148111.tif 000008
【図５】
2019148111.tif 000009
【図６】
2019148111.tif 000010
【図７】
2019148111.tif 000011
【図８】
2019148111.tif 000012
【図９】
2019148111.tif 000013
【図１０】
2019148111.tif 000014
【図１１Ａ】
2019148111.tif 000015
【図１１Ｂ】
2019148111.tif 000016
【図１２】
2019148111.tif 000017
【図１３】
2019148111.tif 000018
【図１４】
2019148111.tif 000019